(57)【要約】【課題】  ＤＩＣＯＭ規格のフォーマットに関するエラーが表示されることに関する煩わしさを減らす。【解決手段】  放射線撮影の管理をする制御部１００９において、検査情報判定部１００９２は、ＤＩＣＯＭ規格に基づいて、取得した放射線検査情報がＤＩＣＯＭ規格に従わない情報を含むか否かを判定する。検査情報制御部は、ＤＩＣＯＭ規格に従わない情報について、複数のエラーレベルのうち少なくとも１つに分類する。検査情報比較部１００９４は、特定のエラーレベルに分類された、ＤＩＣＯＭ規格に従わない情報について、予め定められた種類に該当するか否かを判定する。表示制御部１０１０は、予め定められた種類に該当するか否かに応じて表示の有無を切り替える。【選択図】  図１
2013215276.tif 000002
【特許請求の範囲】
【請求項１】
ＤＩＣＯＭ規格に基づいて、取得した放射線検査情報がＤＩＣＯＭ規格に従わない情報を含むか否かを判定する規格判定手段と、
前記ＤＩＣＯＭ規格に従わない情報について、複数のエラーレベルのうち少なくとも１つに分類する分類手段と、
前記決定手段により特定のエラーレベルに分類された前記ＤＩＣＯＭ規格に従わない情報について、予め定められた種類に該当するか否かを判定する種類判定手段と、
前記予め定められた種類に該当するか否かに応じて表示の有無を切り替える表示制御手段と、
を有することを特徴とする放射線撮影の管理装置。
【請求項２】
ＲＩＳから放射線検査情報を受信する検査取得手段と、
前記検査取得手段で取得した放射線検査情報に規格に従わないデータが含まれていないか判定する検査情報判定手段と、
検査実施できないエラーのリストを記憶する検査実施不可エラー記憶手段と、
不正データ受信エラーを表示するエラー表示手段と、
該検査情報判定手段によって不正と判定されたデータと、該検査実施不可エラー記憶手段によって記憶されているエラーリストを比較する実施可能検査判定手段と、
該実施可能検査判定手段によって実施可能と判定されたエラーに関して該エラー表示手段による受信エラーの表示を抑制するエラー表示抑制手段と、
を備えることを特徴とする医療用検査システム。
【請求項３】
更に、前記エラー表示抑制手段を有効にするかどうか設定するエラー表示抑制設定手段と、
を備える請求項２に記載の医療用検査システム。
【請求項４】
更に、前記検査実施不可エラー記憶手段に記憶されているエラーリストの編集を行う検査実施不可エラー編集手段と、
を備える請求項２に記載の医療用検査システム。
【発明の詳細な説明】
【技術分野】
【０００１】
本発明は、医療用検査システムに関し、詳しくは、患者情報を入力し検査を進行する医療用検査システムおよびＸ線撮影装置に関するものである。
【背景技術】
【０００２】
病院およびクリニックでは、上流システムとＸ線撮影システムの間で検査情報の授受を実行する。上流システムとして、ＨＩＳ（Ｈｏｓｐｉｔａｌ  Ｉｎｆｏｒｍａｔｉｏｎ  Ｓｙｓｔｅｍ）と呼ばれる病院情報システムあるいはＲＩＳ（Ｒａｄｉｏｌｏｇｙ  Ｉｎｆｏｒｍａｔｉｏｎ  Ｓｙｓｔｅｍ）と呼ばれる放射線情報システムが挙げられる。
Ｘ線撮影システムを含めたこれらのシステムは、マルチベンダで作られているため、それぞれのベンダが独自の仕様でシステム開発を行うと、ベンダＡのＲＩＳとは接続できるけれど、ベンダＢのＲＩＳとは接続できない、という問題が発生し、ベンダごとに独自の仕様を策定する必要があるため負担が大きい。こうした医用情報の共通化に対応すべく、ベンダに依存しない画像情報通信、保管の規格として非特許文献１に示すＤＩＣＯＭ（Ｄｉｇｉｔａｌ  Ｉｍａｇｉｎｇ  ａｎｄ  Ｃｏｍｍｕｎｉｃａｔｉｏｎｓ  ｉｎ  Ｍｅｄｉｃｉｎｅ）規格が作られた。ＤＩＣＯＭ規格では画像フォーマット、通信手順および方式、媒体に保存するときの規格などが定められている。
【先行技術文献】
【非特許文献】
【０００３】
【非特許文献１】Ｄｉｇｉｔａｌ  Ｉｍａｇｉｎｇ  ａｎｄ  Ｃｏｍｍｕｎｉｃａｔｉｏｎｓ  ｉｎ  Ｍｅｄｉｃｉｎｅ  （ＤＩＣＯＭ）
【発明の概要】
【発明が解決しようとする課題】
【０００４】
実際の現場では、ＤＩＣＯＭ規格のフォーマットに沿っていない検査情報を送信するＲＩＳが多く存在する。Ｘ線撮影システムがＲＩＳからフォーマットに沿っていない、いわゆる不正なデータを受信した場合、不正なデータを受信した旨を示すエラーを通知する必要がある。一方で、撮影の効率が求められる場合、特に緊急撮影の場合などでは、エラーの通知が煩わしく、撮影効率に支障が出る場合がある。不正なデータには、検査実施できない深刻なレベルのものから検査実施に影響のないものまで様々なレベルがある。
【課題を解決するための手段】
【０００５】
本発明は、上記の課題を解決するために、
ＲＩＳから検査情報を受信する検査情報受信手段と、
該検査情報取得手段で取得した検査情報に不正なデータが含まれていないか判定する検査情報判定手段と、
検査実施できないエラーのリストを記憶する検査実施不可エラー記憶手段と、
不正データ受信エラーを表示するエラー表示手段と、
該検査情報判定手段によって不正と判定されたデータと、該検査実施不可エラー記憶手段によって記憶されているエラーリストを比較する実施可能検査判定手段と、
該実施可能検査判定手段によって実施可能と判定されたエラーに関して該エラー表示手段による受信エラーの表示を抑制するエラー表示抑制手段と、
を有することを特徴とする。
【発明の効果】
【０００６】
本発明により、検査実施に影響のないレベルの不正データを受信してもエラーが表示されなくなる。したがって検査実施に影響のないレベルの不正データ受信時のエラー表示が不要なユーザに対して、Ｘ線撮影システムの操作性が向上する。
【図面の簡単な説明】
【０００７】
【図１】実施形態における医療用検査システムの構成図である。
【図２】実施形態におけるＲＩＳからの入力時の処理手順を示すフローチャートである。
【図３】ＲＩＳから受信する検査情報の例を示す。
【図４】エラー表示抑制対象とならないＤＩＣＯＭ規約違反データの例を示す。
【図５】エラー表示抑制対象となるＤＩＣＯＭ規約違反データの例を示す。
【図６】ＤＩＣＯＭ規約違反データ受信時に表示するエラーの例を示す
【図７】エラー表示抑制の設定ＵＩの例を示す。
【発明を実施するための形態】
【０００８】
以下、添付図面に従って本発明に係る実施形態を詳細に説明する。
【０００９】
＜システム構成の説明＞
図１は、Ｘ線撮影システムの構成を示す図である。
【００１０】
Ｘ線撮影システムは、Ｘ線管球１０００、Ｘ線発生装置制御部１００１、Ｘ線撮影システム表示部、Ｘ線撮影システム操作部、センサ１００３から成るセンサユニット１００２を備える。Ｘ線撮影システム制御部１００９は、撮影ユニットから得られたディジタル画像信号を処理したり、Ｘ線発生装置に対する各種制御を行う。また、外部から受信した放射線撮影のオーダを管理する管理装置として機能する。
【００１１】
Ｘ線発生装置制御部１００１は、Ｘ線撮影システム制御部１００４から送られてきた管電流や管電圧、照射時間等の撮影条件に応じて、Ｘ線管球１０００への高電圧の印加を制御し、Ｘ線の発生を制御する。ＲＩＳ１００５は検査リストを保持し、Ｘ線撮影システムへ検査情報を送信することができる。ＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍ）１００６は、Ｘ線撮影システム制御部から送られる検査済みの画像を受信することができる。
【００１２】
Ｘ線撮影システム操作部１００７では患者情報の入力、各種システム設定などを行うことができる。
【００１３】
Ｘ線撮影システム操作部１００７を通じてユーザが行う操作はＸ線撮影システム制御部で受け取り、処理した結果をＸ線撮影システム操作・表示部に反映する。
【００１４】
検査情報制御部は、受信部１００９１、判定部１００９２、記憶部１００９３、比較部１００９４を有する。また、検査情報制御部は、ＤＩＣＯＭ規格に従わない情報について、複数のエラーレベルのうち少なくとも１つに分類する分類部としても機能する。
【００１５】
検査情報受信部１００９１は、ＲＩＳ１００５から検査情報を取得することができる。
【００１６】
検査情報判定部１００９２は、ＤＩＣＯＭ規格に基づいて、取得した放射線検査情報がＤＩＣＯＭ規格に従わない情報を含むか否かを判定する規格判定部として機能する。これにより、検査情報判定部１００９２は、検査情報受信部１００９１でＲＩＳ１００５から取得した検査情報が不正データであるか判定することができる。検査情報が不正かどうかの指標の一つとしてＤＩＣＯＭ規約違反が挙げられる。例えば、年齢に“０３０Ｙ”と入れなければならないところ、“３０Ｙ”が入っている場合、ＤＩＣＯＭ規約違反となる。別の例として、ＳｔｕｄｙＩｎｓｔａｎｃｅＵＩＤが空である場合が挙げられる。ＳｔｕｄｙＩｎｓｔａｎｃｅＵＩＤは必須項目であり、これが空だと検査実施できない。
【００１７】
検査情報記憶部１００９３は、検査実施できないエラーのリストを保持している。
【００１８】
検査情報比較部１００９４は、特定のエラーレベルに分類された前記ＤＩＣＯＭ規格に従わない情報について、予め定められた種類に該当するか否かを判定する種類判定部として機能する。これにより、検査情報比較部１００９４は、不正データと検査情報記憶部が保持するエラーリストを比較することができる。
【００１９】
Ｘ線撮影システム表示制御部１０１０は、DICOM規約違反データ受信エラーの表示を制御することができる。
【００２０】
＜全体の処理の説明＞
図２は医療用検査システムのフローチャートである。Ｘ線撮影システムを開始し、Ｓ２００１でＸ線撮影システム表示制御部は検査リスト画面へ遷移させる。Ｓ２００２で検査情報受信部１００９１は検査情報を受信する。Ｓ２００３で検査情報判定部は受信した検査情報がＤＩＣＯＭ規約違反データかどうか判定する。
【００２１】
ＤＩＣＯＭ規約違反データでない場合は、Ｓ２０１１でＸ線撮影システム制御部が検査実施する。ＤＩＣＯＭ規約違反データであった場合は、Ｓ２００４で検査情報制御部はエラーレベルの分類を行う。エラーレベルの分類はＦＡＴＡＬ，  ＥＲＲＯＲ，  ＷＡＲＮＩＮＧの三つがある。ＦＡＴＡＬはセンサーが反応しないというような、撮影が継続できない状態を指す。ＥＲＲＯＲはＤＩＣＯＭ通信エラーのような、ユーザによる何らかの対処が必要、何らかの対処を行った方がよい状態を指す。ＷＡＲＮＩＮＧはセンサ温度がやや高めというような、ユーザがただちに対応する必要のない状態を指す。ＤＩＣＯＭ規約違反データのエラーレベルはＥＲＲＯＲに分類する。
【００２２】
次にＳ２００５で検査情報制御部はエラー内容をエラー履歴に登録する。Ｓ２００６で検査情報比較部１００９４は検査情報記憶部１００９３から検査実施できないエラーのリストを取得する。Ｓ２００７で検査情報比較部はエラー内容が検査実施できないエラーリストに含まれているか比較する。
【００２３】
エラー内容が検査実施できないエラーリストに含まれている場合、Ｘ線撮影システム表示制御部１０１０はＸ線撮影システム表示部にエラー表示を指示し、Ｓ２００８でＸ線撮影システム表示部１００８はエラーを表示する。
【００２４】
エラー内容が検査実施できないエラーリストに含まれていない場合、Ｓ２００９でＸ線撮影システム表示制御部はエラー表示抑制の設定を確認する。エラー表示抑制がオフである場合、Ｓ２０１０でＸ線撮影システム表示部はエラーを表示し、エラー表示抑制がオンである場合、エラーを表示せずＳ２０１１でＸ線撮影システム制御部が検査実施する。
【００２５】
Ｓ２０１２で検査情報制御部は入力必須項目が未入力かどうか確認する。未入力でない場合、検査終了する。未入力の場合、Ｓ２０１３でＸ線撮影システム表示部は、入力ダイアログを表示する。例えば、年齢が入力必須項目として設定されており、受信した検査情報の年齢がＤＩＣＯＭ規約違反で空に置き換えられたまま、検査実施を終えた場合が挙げられる。
【００２６】
＜表示画面の説明＞
図３は、ＲＩＳから受信する検査情報の例である。図３では患者ＩＤ、患者名、年齢、性別、ＳｔｕｄｙＩｎｓｔａｎｃｅＵＩＤを挙げているが、生年月日や受付番号などその他の情報を含めることも考えられる。
【００２７】
図４は、エラー表示抑制対象となるＤＩＣＯＭ規約違反となる検査情報の例である。図４では、年齢に不正な値が含まれていたため空白に置き換えている。
【００２８】
図５は、エラー表示抑制対象とならないＤＩＣＯＭ規約違反となる検査情報の例である。図５では、検査を識別するために必須であるＳｔｕｄｙＩｎｓｔａｎｃｅＵＩＤが空であるため、エラー表示をしている。
【００２９】
図６は、検査リストを受信するＵＩの例とこの画面で不正なデータを受信した場合に表示する画面である。検査リスト画面で、リスト更新を押下するとＲＩＳから検査情報を取得する。取得した検査情報に不正なデータが含まれている場合、タイトルとメッセージ、確認ボタンを持つエラーダイアログを表示する。ここで確認ボタンを押下するとエラーダイアログを非表示にする。このエラーダイアログはエラー表示抑制がオンかつ検査実施できないエラーでなかった場合、図２に示したシーケンスに示すように表示しない。
【００３０】
図７は、エラー表示抑制の設定ＵＩの例である。ＭＷＬ設定内の受信データ不正時にエラーを表示するチェックボックスにチェックを入れて、ＯＫボタンを押下するとエラー表示抑制がオンになる。
【００３１】
本実施形態では、不正なデータかどうかの指標としてＤＩＣＯＭ規約を用いたが、その他の指標を設定することも考えられる。
【００３２】
本実施形態では、エラー表示抑制対象となるエラーとして、受信したタグに不正な値が含まれていた場合を挙げたが、他の実施例としてキャラクタセットに含まれない文字列が存在した場合、１７５３年より前の日付が含まれている場合が挙げられる。
【００３３】
本実施形態では、エラー表示抑制対象とならないエラーとして、ＳｔｕｄｙＩｎｓｔａｎｃｅＵＩＤが空の場合を挙げたが、他の実施例として患者ＩＤなどの必須項目が空の場合、アソシエーションエラーの場合が挙げられる。
【００３４】
本実施形態では、不正なデータを受信したときのＵＩとして検査リスト画面を挙げたが、他の実施例として、緊急患者として検査情報を入力および撮影を行った後でＲＩＳの検査情報と緊急患者情報を結び付ける画面が挙げられる。
【００３５】
また、通常、コンピュータプログラムはＣＤ−ＲＯＭ等のコンピュータ可読記録媒体に格納され、それをシステムにコピーもしくはインストールすることで実行可能になるので、そのようなコンピュータ可読記憶媒体も本発明の範疇に入る。
【符号の説明】
【００３６】
１０００  Ｘ線管球
１００１  Ｘ線発生装置制御部
１００２  センサユニット
１００３  撮影ユニット
１００４  Ｘ線撮影システム  撮影制御部
１００５  ＲＩＳ
１００６  ＰＡＣＳ
１００７  Ｘ線撮影システム  操作部
１００８  Ｘ線撮影システム  表示部
１００９  検査情報制御部
１００９１  受信部
１００９２  判定部
１００９３  記憶部
１００９４  比較部
１０１０  Ｘ線撮影システム  表示制御部
【図１】
2013215276.tif 000003
【図２】
2013215276.tif 000004
【図３】
2013215276.tif 000005
【図４】
2013215276.tif 000006
【図５】
2013215276.tif 000007
【図６】
2013215276.tif 000008
【図７】
2013215276.tif 000009